(57)【要約】【課題】プロジェクタの設置場所に応じた適切な設定を効率的に行えるようにすることを目的とする。【解決手段】第一のプロジェクタから受信した、該第一のプロジェクタの設置された位置を表す位置情報と、該第一のプロジェクタの設定情報とを、関連付けて管理する第一管理部と、第二のプロジェクタから、前記第一のプロジェクタの設置された位置と同一の位置を表す位置情報を受信すると、前記第一のプロジェクタの設定情報に基づいて、前記第二のプロジェクタの設定情報を生成する生成部と、前記生成部が生成した設定情報を、前記第二のプロジェクタに送信する送信部と、を有する、管理装置を提供する。【選択図】図５
2015019186.tif 000002
【特許請求の範囲】
【請求項１】
第一のプロジェクタから受信した、該第一のプロジェクタの設置された位置を表す位置情報と、該第一のプロジェクタの設定情報とを、関連付けて管理する第一管理部と、
第二のプロジェクタから、前記第一のプロジェクタの設置された位置と同一の位置を表す位置情報を受信すると、前記第一のプロジェクタの設定情報に基づいて、前記第二のプロジェクタの設定情報を生成する生成部と、
前記生成部が生成した設定情報を、前記第二のプロジェクタに送信する送信部と、
を有する、管理装置。
【請求項２】
前記第一管理部は、前記位置情報と前記設定情報に加えて、前記位置情報と前記設定情報を受信した受信日時を表す日時情報を、さらに関連付けて管理し、
前記生成部は、前記第一のプロジェクタの設定情報及び前記日時情報に基づいて、前記第二のプロジェクタの設定情報を生成する、
請求項１に記載の管理装置。
【請求項３】
前記第一のプロジェクタと前記第二のプロジェクタの設定情報の対応関係を表す機種情報を管理する第二管理部
をさらに有し、
前記生成部は、前記機種情報を用いて、前記第一のプロジェクタの設定情報から、前記第二のプロジェクタの設定情報を生成する、
請求項１又は２に記載の管理装置。
【請求項４】
前記設定情報は、プロジェクタの投影する投影画像の明るさ、コントラスト、シャープネス、Ｒレベル、Ｇレベル、Ｂレベル及び壁色モードに関する情報を含む、
請求項１乃至３に記載の管理装置。
【請求項５】
前記位置情報は、緯度、経度、階数及び棟番号の情報を含む、
請求項１乃至４に記載の管理装置。
【請求項６】
前記位置情報は、ＩＭＥＳ規格に従って配信された位置情報である、
請求項５に記載の管理装置。
【請求項７】
第一のプロジェクタから、該第一のプロジェクタの設置された位置を表す位置情報と、該第一のプロジェクタの設定情報とを受信する第一受信段階と、
前記第一受信段階において受信された、該第一のプロジェクタの設置された位置を表す位置情報と、該第一のプロジェクタの設定情報とを関連付けて格納する格納段階と、
第二のプロジェクタから、前記第一のプロジェクタの設置された位置と同一の位置を表す位置情報を受信する第二受信段階と、
前記第一のプロジェクタの設定情報に基づいて、前記第二のプロジェクタの設定情報を生成する生成段階と、
前記生成段階において生成された設定情報を、前記第二のプロジェクタに送信する送信段階と、
を有する、管理方法。
【請求項８】
管理装置及び該管理装置と通信可能なプロジェクタを有する管理システムであって、
前記プロジェクタは、
当該プロジェクタの設置された位置を表す位置情報と、当該プロジェクタの設定情報とを前記管理装置に送信する送信部
を有し、
前記管理装置は、
前記プロジェクタから受信した位置情報と設定情報とを、関連付けて管理する第一管理部と、
前記プロジェクタと異なる他のプロジェクタから、前記位置情報を受信すると、前記設定情報に基づいて、前記他のプロジェクタの設定情報を生成する生成部と、
前記生成部が生成した設定情報を、前記第二のプロジェクタに送信する送信部と、
を有する、管理システム。
【発明の詳細な説明】
【技術分野】
【０００１】
本発明は、管理装置、管理方法及び管理システムに関する。
【背景技術】
【０００２】
スクリーン等に映像を出力するプロジェクタは、例えば明るさやコントラストのような、映像に関する設定を変更する機能を有する。ユーザは、プロジェクタの設置された環境に応じて、プロジェクタの設定を手動で変更することができる。特許文献１は、ネットワークを介してプロジェクタの設置された場所を識別し、その場所と予め関連付けられた設定情報を、プロジェクタに配信する技術を開示している。
【発明の概要】
【発明が解決しようとする課題】
【０００３】
しかしながら、従来の手法では、場所及びプロジェクタの機種ごとに、予め設定情報を定義する必要があった。場所に適した設定情報を設定するためには、プロジェクタを設置し、実際に投影する必要があり、大変な労力が必要となる可能性があった。
【０００４】
本発明は、このような問題に鑑みてなされたものであり、プロジェクタの設置場所に応じた適切な設定を効率的に行えるようにすることを目的とする。
【課題を解決するための手段】
【０００５】
上述した課題を解決し目的を達成するため、本発明の一実施形態における管理装置は、
第一のプロジェクタから受信した、該第一のプロジェクタの設置された位置を表す位置情報と、該第一のプロジェクタの設定情報とを、関連付けて管理する第一管理部と、
第二のプロジェクタから、前記第一のプロジェクタの設置された位置と同一の位置を表す位置情報を受信すると、前記第一のプロジェクタの設定情報に基づいて、前記第二のプロジェクタの設定情報を生成する生成部と、
前記生成部が生成した設定情報を、前記第二のプロジェクタに送信する送信部と、
を有する。
【０００６】
また、本発明の一実施形態における管理方法は、
第一のプロジェクタから、該第一のプロジェクタの設置された位置を表す位置情報と、該第一のプロジェクタの設定情報とを受信する第一受信段階と、
前記第一受信段階において受信された、該第一のプロジェクタの設置された位置を表す位置情報と、該第一のプロジェクタの設定情報とを関連付けて格納する格納段階と、
第二のプロジェクタから、前記第一のプロジェクタの設置された位置と同一の位置を表す位置情報を受信する第二受信段階と、
前記第一のプロジェクタの設定情報に基づいて、前記第二のプロジェクタの設定情報を生成する生成段階と、
前記生成段階において生成された設定情報を、前記第二のプロジェクタに送信する送信段階と、
を有する。
【０００７】
また、本発明の一実施形態における管理システムは、
管理装置及び該管理装置と通信可能なプロジェクタを有する管理システムであって、
前記プロジェクタは、
当該プロジェクタの設置された位置を表す位置情報と、当該プロジェクタの設定情報とを前記管理装置に送信する送信部
を有し、
前記管理装置は、
前記プロジェクタから受信した位置情報と設定情報とを、関連付けて管理する第一管理部と、
前記プロジェクタと異なる他のプロジェクタから、前記位置情報を受信すると、前記設定情報に基づいて、前記他のプロジェクタの設定情報を生成する生成部と、
前記生成部が生成した設定情報を、前記第二のプロジェクタに送信する送信部と、
を有する。
【発明の効果】
【０００８】
本発明によれば、プロジェクタの設置場所に応じた適切な設定を効率的に行える。
【図面の簡単な説明】
【０００９】
【図１】本発明の一実施形態における管理システムの概略図。
【図２】本発明の一実施形態における管理システムの概略図。
【図３】本発明の一実施形態における管理装置のハードウェア構成図。
【図４】本発明の一実施形態におけるプロジェクタのハードウェア構成図。
【図５】本発明の一実施形態における管理装置及びプロジェクタの機能ブロック図。
【図６】配信装置が配信する位置情報の概念図。
【図７】管理装置が管理する位置情報の概念図。
【図８】管理装置が管理する設定情報の概念図。
【図９】管理装置が管理する機種情報の概念図。
【図１０】管理装置が管理する設定情報の別の例を表す概念図。
【図１１】本発明の一実施形態における管理システムの動作例を表すシーケンス図。
【発明を実施するための形態】
【００１０】
以下、本発明の実施形態を図面に基づいて説明する。
【００１１】
１．システム
２．ハードウェア構成
２．１  管理装置
２．２  プロジェクタ
３．機能
３．１  プロジェクタ
３．２  管理装置
４．動作例
５．変形例
【００１２】
（１．システム）
図１は、本発明の一実施形態における管理システム１の概略図である。図１に示される管理システム１は、プロジェクタの設置された位置を表す位置情報や、プロジェクタの設定情報を管理する管理装置１００と、プロジェクタ２００ａ−２００ｃと、各プロジェクタに位置情報を配信する配信装置３００ａ−３００ｃを含む。管理装置１００とプロジェクタ２００ａ−２００ｃとは、ＬＡＮを介して、互い通信が可能である。また、プロジェクタ２００ａ−２００ｃと、配信装置３００ａ−３００ｃの夫々は、ＺｉｇＢｅｅ（登録商標）等によりＰＡＮ（Personal Area Network）を形成する。このＰＡＮは、管理装置１００の接続されるＬＡＮと接続されており、プロジェクタ２００ａ−２００ｃは、ＰＡＮを介して、管理装置１００と通信することも可能である。ＬＡＮは、主に、プロジェクタの設定情報のやりとりに用いられ、ＰＡＮは、主に、プロジェクタの位置情報のやりとりに用いられる。
【００１３】
プロジェクタ２００ａは、あるオフィス内の会議室Ａに設置されており、配信装置３００ａより、位置情報を受信する。位置情報は、例えば、緯度、経度、階数（フロア）及び棟番号を含む。また、プロジェクタ２００ｂは、会議室Ｂに配置されており、配信装置３００ｂより、位置情報を受信する。また、プロジェクタ２００ｃは、会議室Ｃに配置されており、配信装置３００ｃより、位置情報を受信する。なお、各配信装置から配信される位置情報は、配信装置の設置された位置を表す。すなわち、各プロジェクタ２００ａ−２００ｃは、配信装置３００ａ−３００ｃから位置情報を受信することにより、自らの設置された位置を表す位置情報を取得することができる。
【００１４】
プロジェクタ２００ａは、起動直後、又は、起動中の任意のタイミングで、配信装置から取得した位置情報と、自らの識別情報とを、ＰＡＮを介して、管理装置１００に送信する。同様に、他の会議室のプロジェクタも、位置情報と、識別情報とを、管理装置１００に送信する。管理装置１００は、受信した情報を用いて、各プロジェクタの位置（ここでは、会議室）を管理する。
【００１５】
また、各プロジェクタ２００ａは、会議室Ａにいるユーザ等から、設定情報の入力を受け付けると、その設定情報を管理装置１００に送信する。設定情報は、例えば、明るさ、コントラスト、シャープネス、Ｒレベル、Ｇレベル、Ｂレベル、壁色モードの情報を含む。
【００１６】
管理装置１００は、各プロジェクタ２００ａ−２００ｃから受信した設定情報を、標準機として予め定義されたプロジェクタの設定情報に変換した後に、その設定情報を、位置情報（ここでは、会議室Ａ−Ｃ）と関連付けて格納する。そして、新たな別のプロジェクタから、格納済みの位置情報を受信すると、その別のプロジェクタに対して、その別のプロジェクタの機種向けに変換された設定情報を送信する。新たに設置されたプロジェクタは、管理装置１００から送信された設定情報を使用することにより、ユーザの手を煩わせることなく、その位置に適した設定を行うことができる。
【００１７】
ここで、管理装置１００は、格納済みの設定情報を、新たに設置されたプロジェクタの機種向けの設定情報に変換するため、機種間の設定情報の対応関係を定める機種情報を保持する。図９は、機種情報を保持するテーブルの例を表す（詳細は後述する）。図９に示されるように、機種情報は、一のプロジェクタを標準機とした場合の、そのプロジェクタと、他のプロジェクタとの設定値との対応関係（ここでは、設定値に対する差分）を定義する。
【００１８】
図２は、図１に示される、一の会議室を抜き出して記載した、管理システム１の概略図である。上述したように、配信装置３００は、プロジェクタ２００とＰＡＮを形成する。ここで、当該ＰＡＮは、会議室に設置されるゲートウェイ４００によって、例えばＺｉｇＢｅｅ（登録商標）等により、構築され得る。ゲートウェイ４００は、管理装置１００の接続されるＬＡＮに接続されており、ＰＡＮ側から送信された情報を、ＬＡＮ側へと伝送する。このようなＰＡＮの構成により、プロジェクタ２００は、位置情報を、配信装置３００を介して、管理装置１００へと送信することができる。
【００１９】
なお、配信装置３００は、例えばＩＭＥＳ（Indoor Messaging System）規格に従って構成された、屋内向けの測位信号を、所定の範囲内（図２に破線で示す）に、常時配信している。これにより、プロジェクタ２００は、任意のタイミングで、自らの位置情報を取得することができる。プロジェクタ２００は、配信装置３００から配信された位置情報を取得し、物理的に近くにある配信装置３００により形成されるＰＡＮを介して、位置情報及びその他の情報を管理装置１００に送信することができる。
【００２０】
（２．ハードウェア構成）
次に、図３、図４を用いて、本発明の一実施形態における管理装置１００とプロジェクタ２００のハードウェア構成を説明する。
【００２１】
（２．１  管理装置）
【００２２】
図３は、本発明の一実施形態における管理装置１００のハードウェア構成例を表す。管理装置１００は、ＣＰＵ１１と、ＲＡＭ１２と、ＲＯＭ１３と、ＨＤＤ１４と、キーボード１５と、マウス１６と、ディスプレイ１７と、ＮＩＣ（Network Interface Card）１８とを有する。
【００２３】
ＣＰＵ１１は、管理装置１００の動作制御を行うプログラムを実行する。ＲＡＭ１２は、ＣＰＵ１１のワークエリアを構成する。ＲＯＭ１３は、ＣＰＵ１１が実行するプログラムや、プログラムの実行に必要なデータを記憶する。ＨＤＤ１４は、プロジェクタの位置情報や設定情報等を格納する。ＨＤＤ１４は、磁気ディスクや、ソリッドステートディスクのような記憶装置であってもよい。
【００２４】
キーボード１５及びマウス１６は、管理装置１００の管理者等からの入力を受け付ける装置である。ディスプレイ１７は、管理装置１００の管理者等に情報を提示する装置である。ＮＩＣ１８は、例えばイーサネット（登録商標）によるＬＡＮと接続するための通信インターフェースである。バス１９は、上記の各装置を相互に接続する。
【００２５】
なお、図３の管理装置１００は、単一のコンピュータによって構成されているが、複数のコンピュータにまたがって構成されてもよい。また、そのような複数のコンピュータのそれぞれが、図３に示された装置の一部を有し、全体として、図３に示した装置を実現するよう構成されてもよい。
【００２６】
（２．２  プロジェクタ）
図４は、本発明の一実施形態におけるプロジェクタ２００のハードウェア構成例を表す。プロジェクタ２００は、ＣＰＵ２１と、ＲＡＭ２２と、ＲＯＭ２３と、ＮＩＣ２４と、入力装置２５と、Ａ／Ｄコンバータ２６と、映像入力端子２７と、映像処理装置２８と、投影駆動装置２９と、投影装置３０と、ＩＭＥＳ受信装置３１と、ＺｉｇＢｅｅ通信装置３２とを有する。
【００２７】
ＣＰＵ２１は、プロジェクタ２００の動作制御を行うプログラムを実行する。ＲＡＭ２２は、ＣＰＵ２１のワークエリアを構成する。ＲＯＭ２３は、ＣＰＵ２１が実行するプログラムや、プログラムの実行に必要なデータを記憶する。ＮＩＣ２４は、例えばイーサネット（登録商標）によるＬＡＮと接続するための通信インターフェースである。入力装置２５は、例えば、操作ボタン等であり、プロジェクタ２００のユーザ等から入力を受け付ける装置である。
【００２８】
Ａ／Ｄコンバータ２６は、映像入力端子２７から入力されたアナログの映像信号をデジタルの映像信号に変換する。映像処理装置２８は、デジタルの映像信号に対して、コントラスト調整、明るさ調整、シャープネス調整、スケーリング処理、メニュー情報の重畳（ＯＳＤ；On Screen Display）などの各種画像処理を行う。
【００２９】
投影駆動装置２９は、投影装置３０を駆動する。投影装置３０は、映像信号を投影する。投影方式は、液晶方式、あるいは、デジタルミラーデバイス（ＤＭＤ）を用いたＤＬＰ（Digital Light Processing）方式であってもよい。ＩＭＥＳ受信装置３１は、配信装置３００から送信された、ＩＭＥＳによる測位信号を受信する。ＺｉｇＢｅｅ通信装置３２は、ＺｉｇＢｅｅ規格に基づき、ゲートウェイの構築したＰＡＮと接続するための装置である。バス３３は、上記の各装置を相互に接続する。
【００３０】
なお、図４に示されるプロジェクタは、ＺｉｇＢｅｅにより通信を行うＺｉｇＢｅｅ通信装置３２を備えているが、その代わりに、Ｂｌｕｅｔｏｏｔｈ（登録商標）やＷｉＦｉ（登録商標）等、任意の無線通信方式を採用した装置を備えても良い。また、プロジェクタ２００は、ＺｉｇＢｅｅ通信装置３２のような、無線通信装置を備えず、ＮＩＣ２４のみを介して、管理装置１００と通信してもよい。
【００３１】
（３．機能）
次に、図５を用いて、本発明の一実施形態における管理装置１００と、プロジェクタ２００の機能ブロックの構成を説明する。図５には、これらの装置が備える様々な要素のうち、本実施形態の説明に特に関連する要素が示されている。
【００３２】
（３．１  プロジェクタ）
本発明の一実施形態におけるプロジェクタ２００は、設定情報記憶部２０１と、設定情報反映部２０２と、通信端末部２０３と、設定情報受信部２０７とを有する。
【００３３】
設定情報記憶部２０１は、当該プロジェクタの設定情報を記憶する。設定情報は、例えば、例えば、明るさ、コントラスト、シャープネス、Ｒレベル（赤色レベル）、Ｇレベル（緑色レベル）、Ｂレベル（青色レベル）、壁色モードの情報を含む。
【００３４】
設定情報反映部２０２は、ユーザから入力された設定の内容を表す設定情報、あるいは、設定情報受信部２０７が管理装置１００から受信した設定情報を用いて、当該プロジェクタの投影画像に関する設定を行う。これにより、プロジェクタの出力する映像は、プロジェクタの設置された場所における、スクリーンの色や光量に適するように設定される。
【００３５】
また、設定情報反映部２０２は、ユーザからの入力による設定情報、あるいは、設定情報受信部２０７が管理装置１００から受信した設定情報を、設定情報記憶部２０１に記憶する。
【００３６】
また、設定情報反映部２０２は、ユーザからの入力による設定情報を、識別情報記憶部２０４に記憶される識別情報とともに、ＬＡＮを介して管理装置１００に送信する。
【００３７】
通信端末部２０３は、識別情報記憶部２０４と、位置情報取得部２０５と、位置情報送信部２０６とを有する。
【００３８】
識別情報記憶部２０４は、当該プロジェクタの識別情報を記憶する。識別情報は、例えば、ＭＡＣアドレスである。
【００３９】
位置情報取得部２０５は、配信装置３００から配信された、ＩＭＥＳによる測位信号を受信し、緯度、経度、階数及び棟番号の情報を含む、位置情報を取得する。なお、図６は、配信装置から配信される測位信号に含まれる、位置情報の例を表す。
【００４０】
位置情報送信部２０６は、位置情報取得部２０５が取得した位置情報を、識別情報記憶部２０４に記憶された識別情報とともに、配信装置３００（すなわちＰＡＮ）を介して、管理装置１００に送信する。
【００４１】
設定情報受信部２０７は、管理装置１００からＬＡＮを介して設定情報を受信する。
【００４２】
以上の機能により、本実施形態におけるプロジェクタ２００は、設置された場所に適する設定情報を、その場所を表す位置情報とともに、管理装置１００に送信することができる。また、プロジェクタ２００は、管理装置１００から送信された設定情報を用いて、設置された場所に適した設定で、映像を出力することができる。
【００４３】
なお、上記の例では、プロジェクタ２００は、ユーザにより設定された位置情報及び識別情報を、配信装置３００（すなわち、ＰＡＮ）を介して、管理装置１００に送信する。しかしながら、別の例として、プロジェクタ２００は、位置情報及び識別情報を、例えば設定情報とともに、ＬＡＮを介して、管理装置１００に送信してもよい。これにより、プロジェクタ２００は、ＺｉｇＢｅｅ（登録商標）等による無線通信装置が不要となる。一方、プロジェクタ２００は、設定情報を、例えば位置情報及び識別情報とともに、配信装置３００（すなわち、ＰＡＮ）を介して、管理装置１００に送信してもよい。これにより、プロジェクタ２００は、少なくとも設定情報等の送信時に、ＬＡＮ接続する必要がなくなる。
【００４４】
また、上記の例では、プロジェクタ２００は、設置場所に適した設定情報を、ＬＡＮを介して、管理装置１００から受信する。しかしながら、別の例として、プロジェクタ２００は、設置場所に適した設定情報を、配信装置３００（すなわち、ＰＡＮ）を介して、管理装置１００から受信してもよい。これにより、プロジェクタ２００は、有線ＬＡＮによるケーブルの取り回しの問題や、無線ＬＡＮによる消費電力の問題を、回避することができる。
【００４５】
（３．２  管理装置）
本発明の一実施形態における管理装置１００は、位置情報管理部１０１と、設定情報管理部１０２と、機種情報管理部１０３と、設定情報生成部１０４と、設定情報送信部１０５とを有する。
【００４６】
位置情報管理部１０１は、配信装置３００（ＰＡＮ）を介してプロジェクタから受信した位置情報を、位置情報と共に受信した識別情報と、これらの情報の受信日時とを関連付けて記憶し、管理する。図７は、識別情報と関連付けられた位置情報を格納するテーブルの例を表す。図７に示されるように、プロジェクタの識別情報（例えば、ＭＡＣアドレス）と、プロジェクタから送信された位置情報（緯度、経度、階数及び棟番号）が、その受信日時と共に格納される。また、図７には、識別情報に対応する機種名と所有者名とが、さらに関連付けられて格納されている。位置情報管理部１０１は、当該管理装置に格納されたテーブル（図示しない）等により、識別情報に対応する機種名及び所有者名を特定してもよい。
【００４７】
設定情報管理部１０２は、標準機として定義されたプロジェクタの設定情報と、位置情報とを関連付けて記憶し、管理する。図８は、位置情報と関連付けられた設定情報を格納するテーブルの例を表す。図８に示されるテーブルには、緯度、経度、階数及び棟番号（位置情報）、並びに、明るさ、コントラスト、シャープネス、Ｒレベル、Ｇレベル、Ｂレベル及び壁色モード（設定情報）の項目を有する。なお、壁色モードとは、画像を投影させるスクリーンを指定することにより、色合い等に関するパラメータを自動調整する機能である。壁色モードは、「ノーマル（スクリーン色による補正処理なし）」、「黒板（スクリーンが緑色）」、「ホワイトボード（スクリーンが白色）」等のモードを含む。本実施例では、全てのプロジェクタが、共通のモードを有する壁色モードに対応しているものとする。
【００４８】
機種情報管理部１０３は、機種間の設定情報の対応関係を定める機種情報を管理する。図９は、機種情報を保持するテーブルの例を表している。図９に示されるように、機種情報は、標準機として定義されたプロジェクタの各設定項目の設定値と、他のプロジェクタの対応する設定値との差分を定義する。
【００４９】
図９の例では、「標準機」であるプロジェクタの各設定値は、一律に「１００」に設定されている。一方、「ＰＪ  ＸＸＸ１」のプロジェクタの設定値は、例えば「明るさ」の設定項目は、「＋１３」である。これは、標準機の「明るさ」が「１００」である場合に、「ＰＪ  ＸＸＸ１」の「明るさ」を「１１３」としたとき、両者の明るさが同じとなることを意味している。このように、機種情報は、機種間の設定値の差分を吸収するために、予め定義された情報である。
【００５０】
なお、図９の例では、「ＰＪ  ＺＺＺ３」のプロジェクタの「Ｒレベル」、「Ｇレベル」、「Ｂレベル」の項目には、「非搭載」と示されている。これは、「ＰＪ  ＺＺＺ３」が、これらの設定項目の調整機能を有していないことを表す。このような場合、機種名が「ＰＪ  ＺＺＺ３」であるプロジェクタは、非搭載の設定項目に関する設定情報を送信しなくてもよい。
【００５１】
設定情報生成部１０４は、プロジェクタから設定情報を受け取ると、この設定情報を、標準機の設定情報に変換する。そして、設定情報生成部１０４は、変換済みの設定情報と、そのプロジェクタの位置情報とを、設定情報管理部１０２に格納する。設定情報生成部１０４は、変換のために、図９に例示される機種情報を用いる。例えば、機種「ＰＪ  ＸＸＸ１」から、設定情報「明るさ」＝「１００」を受信したとする。設定情報生成部１０４は、図９を参照し、「＋１３」の設定値に基づき、「明るさ」を「８７」に変換する。そして、設定情報生成部１０４は、この値を、設定情報管理部１０２に格納する。設定情報生成部１０４は、他の設定項目についても同様に処理する。但し、設定情報生成部１０４は、「壁色モード」の項目については、プロジェクタから受け取った情報を、そのまま設定情報管理部１０２に格納してもよい。
【００５２】
なお、設定情報生成部１０４は、例えば、図９に例示される、「非搭載」の設定項目に関する設定情報を受信しない。設定情報生成部１０４は、これらの設定項目について、標準機の設定値を、そのまま設定情報管理部１０２に格納する。
【００５３】
また、設定情報管理部１０２に格納された設定情報を用いて、新たに設置されたプロジェクタ向けの、設定情報を生成する。設定情報生成部１０４は、新たに設置されたプロジェクタから受信した識別情報をキーとして、位置情報管理部１０１を参照し、新たに設置されたプロジェクタの機種を特定する。また、設定情報生成部１０４は、特定した、新たに設置されたプロジェクタの機種名をキーとして、機種情報（図９）を探索し、その機種の設定値の、「標準機」に対する差分を取得する。また、設定情報生成部１０４は、新たに設置されたプロジェクタから、識別情報とともに受信した位置情報をキーとして、設定情報管理部１０２の管理する設定情報（図８）を探索し、対応する（標準機の）設定情報を特定する。そして、設定情報生成部１０４は、「標準機」の設定情報に、取得した差分を加味して、新たに設置されたプロジェクタ向けの設定情報とする。
【００５４】
なお、設定情報生成部１０４は、例えば、図９に例示されるように、変換対象となるプロジェクタが、「非搭載」の設定項目を有する場合には、それらの設定項目に関する設定情報は生成しなくてもよい。
【００５５】
設定情報送信部１０５は、設定情報生成部１０４の生成した設定情報を、新たに設置されたプロジェクタに送信する。
【００５６】
以上の機能により、本実施形態における管理装置１００は、プロジェクタから設定情報を収集し、場所ごとに、その設定情報を管理することができる。そして、管理装置１００は、既知の場所に設置された、未設定のプロジェクタに対して、その場所に適した設定情報を送信する。このとき、プロジェクタの機種に応じて、設定情報が適宜変換される。これにより、ユーザは、プロジェクタを新たな環境に設置するたびに、その環境に合わせて手動で設定を行う必要がなくなる。
【００５７】
（４．動作例）
図１１を用いて、本発明の一実施形態における管理システム１の動作例を説明する。図１１の例では、会議室Ａに設置されたプロジェクタ２００ａが、位置情報の取得後、ユーザから設定の入力を受け付け、その設定情報を、管理装置１００に送信する。そして、その後に、会議室Ａに設置された別のプロジェクタ２００ｂが、管理装置１００から設定情報を受信して、その設定情報を反映する。
【００５８】
まず、ユーザが、会議室Ａに入室し、プロジェクタ２００ａを設置した後、電源を投入する。プロジェクタ２００ａの通信端末部２０３（位置情報取得部２０５）は、会議室Ａに設置された配信装置３００ａから、位置情報（緯度「35.459555」、経度「139.387110」、階数「１６」、棟番号「Ｃ」）を受信する（ステップＳ１０１）。次に、通信端末部２０３（位置情報送信部２０６）は、ステップＳ１０１で受信した位置情報と、識別情報記憶部２０４に格納された識別情報「002673abcd01」を、配信装置３００に送信する（ステップＳ１０２）。管理装置１００の位置情報管理部１０１は、ステップＳ１０２で送信された位置情報を、共に送信された識別情報と関連付けて記憶する（図７）（ステップＳ１０３）。
【００５９】
次に、プロジェクタ２００ａの設定情報反映部２０２は、ユーザからの設定を受け付け（ステップＳ１０４）、その設定を反映する（ステップＳ１０５）。ここでは、その設定に、「明るさ」＝「１００」の設定が含まれるものとして説明する。また、設定情報記憶部２０１は、ステップＳ１０４で受け付けた設定を表す設定情報を記憶する（ステップＳ１０６）。次に、設定情報反映部２０２は、その設定情報を、識別情報記憶部２０４に格納された識別情報とともに、管理装置１００に送信する（ステップＳ１０７）。
【００６０】
次に、管理装置１００の設定情報生成部１０４は、ステップＳ１０７で受信した識別情報「002673abcd01」をキーとして、位置情報管理部１０１に格納された位置情報（図７）を探索し、対応する位置情報（緯度「35.459555」、経度「139.387110」、階数「１６」、棟番号「Ｃ」）及び機種名「ＰＪ  ＸＸＸ１」を取得する（ステップＳ１０８）。次に、設定情報生成部１０４は、ステップＳ１０８で取得した機種名をキーとして、機種情報（図９）を探索し、設定値の差分を取得する（ステップＳ１０９）。ここでは、明るさ「＋１３」、コントラスト「＋１０」、シャープネス「±０」等の値が取得される。
【００６１】
次に、設定情報生成部１０４は、ステップＳ１０７で取得された設定情報に含まれる設定項目の値と、ステップＳ１０９で機種情報から取得した値とに基づき、標準機の設定情報を生成する（ステップＳ１１０）。ここでは、「明るさ」の設定項目に関して、ステップＳ１０７で取得した設定値は「１００」であり、ステップＳ１０９で取得した値は「＋１３」である。よって、設定情報生成部１０４は、「１００」から「＋１３」を減算し，「８７」の設定値を得る。他の設定項目についても、同様に計算される。なお、「壁色モード」については、ステップＳ１０７で取得された設定情報に含まれる値が、そのまま変換後の値として用いられる。そして、設定情報管理部１０２は、ステップＳ１０８で特定した位置情報と、ステップＳ１１０で生成した設定情報を、関連付けて記憶する（ステップＳ１１１）。
【００６２】
以上で、会議室Ａにおける標準機の設定情報の格納が完了する。次に、ユーザは、会議室Ａに、別のプロジェクタ２００ｂを設置し、電源を投入したものとする。
【００６３】
プロジェクタ２００ｂの通信端末部２０３（位置情報取得部２０５）は、会議室Ａに設置された配信装置３００ａから、位置情報（緯度「35.459555」、経度「139.387110」、階数「１６」、棟番号「Ｃ」）を受信する（ステップＳ１２１）。次に、通信端末部２０３（位置情報送信部２０６）は、ステップＳ１２１で受信した位置情報と、識別情報記憶部２０４に格納された識別情報「002673abcd02」を、配信装置３００に送信する（ステップＳ１２２）。管理装置１００の位置情報管理部１０１は、ステップＳ１２２で送信された位置情報を、共に送信された識別情報と関連付けて記憶する（図７、ステップＳ１２３）。位置情報管理部１０１は、ステップＳ１２３で受信した識別情報を、設定情報生成部１０４に通知する（ステップＳ１２４）。
【００６４】
次に、管理装置１００の設定情報生成部１０４は、ステップＳ１２４で受け取った識別情報「002673abcd02」をキーとして、位置情報管理部１０１に格納された位置情報（図７）を探索し、対応する位置情報（緯度「35.459555」、経度「139.387110」、階数「１６」、棟番号「Ｃ」）及び機種名「ＰＪ  ＹＹＹ２」を取得する（ステップＳ１２５）。次に、設定情報生成部１０４は、ステップＳ１２５で取得した機種名をキーとして、機種情報（図９）を探索し、設定値を取得する（ステップＳ１２６）。ここでは、明るさ「−１０」、コントラスト「−７」、シャープネス「±０」等の値が取得される。さらに、設定情報生成部１０４は、ステップＳ１２５で取得した位置情報をキーとして、設定情報管理部１０２の管理する設定情報（図８）を探索し、設定値を取得する（ステップＳ１２７）。
【００６５】
次に、設定情報生成部１０４は、ステップＳ１２８で取得された設定情報に含まれる設定項目の値と、ステップＳ１２７で機種情報から取得した値とに基づき、プロジェクタ２００ｂ向けの設定情報を生成する（ステップＳ１２８）。例えば、「明るさ」の設定項目に関して、ステップＳ１２８で取得した設定値は「８７」であり、ステップＳ１２７で取得した値は「−７」である。よって、設定情報生成部１０４は、「８７」に「７」を加算し，「９４」の設定値を得る。他の設定項目についても、同様に計算される。そして、設定情報管理部１０２は、ステップＳ１２８で生成した設定情報を、プロジェクタ２００ｂに送信するよう、設定情報送信部１０５に指示する（ステップＳ１２９）。
【００６６】
プロジェクタ２００ｂの設定情報受信部２０７は、管理装置１００の設定情報送信部１０５から送信された設定情報を受信する（ステップＳ１３０）。設定情報反映部２０２は、ステップＳ１３０で受信された設定情報を反映する（ステップＳ１３１）。そして、設定情報記憶部２０１は、受信された設定情報を記憶する（ステップＳ１３２）。
【００６７】
以上のように、管理装置１００は、機種間の設定値の対応関係を機種情報として管理しており、ある場所において各プロジェクタから収集した設定情報を、同一の場所に設置された別のプロジェクタの設定情報に変換して提供することができる。これにより、ユーザは、プロジェクタに対して設定情報を配信するために、予め、場所ごと、及び、機種ごとの、適切な設定情報を予め調査する必要がなくなる。
【００６８】
本実施例は、プロジェクタの設定情報の例を用いて説明した。しかしながら、本発明は、明るさの値やコントラストの値のように、機種ごとにばらつきがあるものの、相互に変換が可能な、パラメータを有する任意の装置（例えば、ディスプレイやスピーカ）に適用することができる。
【００６９】
（５．変形例）
上述した例では、管理装置１００の設定情報管理部１０２は、図８に示されるように、位置情報と設定情報（標準機）とを関連付けて格納しているが、図１０に示されるように、さらに位置情報の受信日時を関連付けて格納してもよい。
【００７０】
受信日時の情報は、位置情報管理部１０１により、位置情報とともに格納されている。設定情報生成部１０４は、プロジェクタから設定情報を受信し、標準機の設定情報に変換した後に、その設定情報と、位置情報と、位置情報管理部１０１に格納された受信日時とを関連付けて、設定情報管理部１０２に格納する。設定情報生成部１０４は、新たなプロジェクタから位置情報を受信すると、同一の位置情報を有し、かつ、その受信日時が最も近い設定情報を、図１０から選択することができる。これにより、管理装置１００は、時刻による環境の変化に応じた設定値を管理及び提供することができる。
【符号の説明】
【００７１】
１  管理システム
１００  管理装置
１０１  位置情報管理部
１０２  設定情報管理部
１０３  機種情報管理部
１０４  設定情報生成部
１０５  設定情報送信部
２００  プロジェクタ
２０１  設定情報記憶部
２０２  設定情報反映部
２０３  通信端末部
２０４  識別情報記憶部
２０５  位置情報取得部
２０６  位置情報送信部
３００  配信装置
４００  ゲートウェイ
【先行技術文献】
【特許文献】
【００７２】
【特許文献１】特開２００９−１６９５８０号公報
【図１】
2015019186.tif 000003
【図２】
2015019186.tif 000004
【図３】
2015019186.tif 000005
【図４】
2015019186.tif 000006
【図５】
2015019186.tif 000007
【図６】
2015019186.tif 000008
【図７】
2015019186.tif 000009
【図８】
2015019186.tif 000010
【図９】
2015019186.tif 000011
【図１０】
2015019186.tif 000012
【図１１】
2015019186.tif 000013